(57)【要約】【課題】              従来のエプロンの防寒や上着の防汚といった特性を保持しつつ、また、従来のギャルソンエプロンの意匠としての優秀な特性を保持しつつ、上述した従来のエプロンの欠点を解消した着脱容易な乳幼児用エプロンを提供することが本発明の課題である。【解決手段】        従来のエプロンの紐をなくし、エプロン生地の両上端に１組の留め具を付けて、エプロン生地の上中央部において体型に弾力的にフィットするようにゴムで腰回りを調節して着脱を容易にし、さらにエプロン生地の上前面部にギャルソンエプロン風飾り紐を取り付けたことを特徴とする乳幼児用エプロン。【選択図】          図１
2005206999.tif 000002
【特許請求の範囲】
【請求項１】
従来のエプロンの紐をなくし、エプロン生地の両上端に１組の留め具を付けて、エプロン生地の上中央部において体型に弾力的にフィットするようにゴムで腰回りを調節して着脱を容易にし、さらにエプロン生地の上前面部にギャルソンエプロン風飾り紐を取り付けたことを特徴とする乳幼児用エプロン。
【請求項２】
１組の留め具の大きさが直径１０ｍｍ〜３５ｍｍで、１組の留め具の厚さが１ｍｍ〜１０ｍｍであることを特徴とする請求項１記載の乳幼児用エプロン。
【請求項３】
１組の留め具が、雄雌のドットボタンであることを特徴とする請求項１〜２記載の乳幼児用エプロン。
【請求項４】
１組の留め具が、ボタンとボタン穴であることを特徴とする請求項１〜３記載の乳幼児用エプロン。
【請求項５】
エプロン生地の前面部にポケットを取り付けたことを特徴とする請求項１〜４記載の乳幼児用エプロン。
【請求項６】
エプロン生地の上前面部にギャルソンエプロン風飾り紐を垂直方向に取り付けたことを特徴とする請求項１〜５記載の乳幼児用エプロン。
【請求項７】
エプロン生地の上前面部にギャルソンエプロン風飾り紐を水平方向に取り付けたことを特徴とする請求項１〜６記載の乳幼児用エプロン。
【請求項８】
エプロン生地の上前面部に結んだギャルソンエプロン風飾り紐を取り付けたことを特徴とする請求項１〜７記載の乳幼児用エプロン。
【発明の詳細な説明】
【技術分野】
【０００１】
本発明は、従来のエプロンの紐をなくし、着脱を容易にした乳幼児用エプロンに関するものである。
【背景技術】
【０００２】
従来、乳幼児にしろ、大人にしろ、外気温度の変動による体温調節は、着衣の枚数で（寒いときには厚着、夏には薄着で）行っていた。
例えば、冬には、下着、その上に上着、さらにコートやジャンパーやスーツタイプの防寒着で体温調節を行っていた。
しかしながら、よく動き回る乳幼児にとって、コートやジャンパーやスーツタイプの防寒着は、手足の動きを妨げて、却って危険であった。
またコートやスーツタイプの防寒着は上半身あるいは下半身のみ着脱することができず、下半身あるいは上半身のみについて重ね着をしたいという需要者の要望には応えることができなかった。
かかる従来技術の状況に鑑みて、着脱容易な重ね着用衣類のニーズが顕在化していたが、このニーズを充足すべく、スカート付きスパッツ（及びズボン）、スカートやエプロンが存在することとなった。
しかし、スカート付きスパッツ（及びズボン）は以下のような欠点があった。
（１）スカート付きスパッツ（及びズボン）は、スカートとスパッツ（ズボン）が一体化しているためスカートだけ脱ぐことができない。そのため、乳幼児の昼寝時にごろついたり、チャイルドシートのベルトの拘束が緩くなるという欠点があった。
（２）チャイルドシート使用時の厚着は、着脱による体温調節ができないため、乳幼児突然死症候群の誘因の一つである「うつ熱」を引き起こす可能性があった。
（３）スカートとスパッツ（ズボン）の組み合わせが決まってしまうため、スカートとスパッツ（ズボン）の組み合わせを自由に選択することができず、着回しができないという欠点があった。
【０００３】
しかし、スカートには、以下のような欠点があった。
（１）スカートを使用する場合、「オムツ（パンツ）」→「スパッツ（ズボン）」→「スカート」と乳幼児の足を各衣類に通す回数が多く、乳幼児に着せる介助者の立場から考えて大変面倒であった。
【０００４】
これに対して、エプロンは、スカートのように乳幼児の足を通す必要がなく、羽織るだけで済むため、スカートよりは着脱容易となっているが、エプロンには、なお、以下のような欠点があった。
（１）従来のエプロン（下半身のみ覆うタイプ）の体への固定手段は紐しかなかった。
（２）紐で結んで腰の位置を固定するため、乳幼児の体にフィットせず、着け心地が悪い。
（３）従来のエプロン（下半身のみ覆うタイプ）は、腰部の後ろで紐を結んで固定しなければならず、乳幼児の着脱には介助が必要であった。また腰部の後ろ中心で（ずれることなく）紐を結ばなければならず、着脱の介助に手間がかかるといった欠点があった。特にじっとしていない、あるいは排泄時やオムツ替えの際の乳幼児に迅速かつ簡便にエプロンを着脱することができなかった。
（４）通常のエプロンは涎掛けのような機能を主体としたものでデザイン的にも乳幼児に人気のあるものではなかった。
【０００５】
しかしながら、最近になって、カフェ等でウェートレスが、ギャルソンエプロン（固定のための紐を体の前で結ぶタイプ）を腰に着て給仕の仕事をしていて、それが客の側にも格好よく映り、口コミ等で一般の若い女性の間にも流行して広く普及することになった。
【０００６】
乳幼児にとっても、ギャルソンエプロンは若い女性と同様、非常に人気があり、それが格好よく映り乳幼児の間にも流行して、ギャルソンエプロンを付けた乳幼児は確実に増加しつつある。
【０００７】
しかし、従来のギャルソンエプロンには以下のような欠点があった。
（１）従来のギャルソンエプロンは、腰の位置を紐で固定するため、乳幼児の体にフィットせず、着け心地が悪い。
（２）紐を用いてエプロンを着脱するために、乳幼児にエプロンを着脱の介助に（特にエプロン生地に紐を通したり、結んだり等）手間がかかるといった欠点があった。また、腰部の前中心で（ずれることなく）紐を結ばなければならず、特に、じっとしていない、あるいは排泄時やオムツ替えの際の乳幼児に迅速かつ簡便にエプロンを着脱することができなかった。
（３）固定のための紐を体の前面で結ぶため、垂れ下がった紐が乳幼児の興味を引き、ひっぱるために、すぐにエプロン自体が外れてしまうという欠点があった。
【発明の開示】
【発明が解決しようとする課題】
【０００８】
従来のエプロンの防寒や上着の防汚といった特性を保持しつつ、また、従来のギャルソンエプロンの意匠としての優秀な特性を保持しつつ、上述した従来のエプロンの欠点を解消した着脱容易な乳幼児用エプロンを提供することが本発明の課題である。
【０００９】
すなわち、発明が解決しようとする課題は、下記を具備する着脱容易な乳幼児用エプロンを提供することである。
（１）乳幼児の体型にフィットして、乳幼児にとって着け心地がよいエプロンであること
（２）紐を用いてエプロンを着脱するために、乳幼児にエプロンを着脱の介助に手間がかからないこと（特に、じっとしていない、あるいは排泄時やオムツ替えの際の乳幼児に迅速かつ簡便にエプロンを着脱することができること）
（３）従来のエプロンの紐部分が、腰部の後ろ中心でない位置にある場合でも着用ができること
（４）乳幼児の自立支援のために、簡単な手順で着脱ができること
（５）従来のギャルソンエプロンの意匠としての優秀な特徴である結んだギャルソンエプロン風飾り紐を設けること
【課題を解決するための手段】
【００１０】
発明者は、従来のエプロンの防寒や上着の防汚といった特性を保持しつつ、上述した従来のエプロンの欠点を解消した着脱容易な乳幼児用エプロンを提供すべく、エプロンの紐をなくし、エプロン生地の両上端に１組の留め具を付けて、エプロン生地の上中央部において体型に弾力的にフィットするようにゴムで腰回りを調節して着脱を容易にすると共に、上前面部にギャルソンエプロン風飾り紐を取り付けたことを特徴とする乳幼児用エプロン及びその改良発明をした。
【００１１】
さらに、ギャルソンエプロン用紐は、ギャルソンエプロンの上から、上着を羽織る場合、ギャルソンエプロン用紐の結び目が上着に隠れて見えなくなり、長い紐の端が二つ、外から覗いて見える。また、結び方によっては全く見えなくなる。このような場合には、ギャルソンエプロン用紐は、見えない以上ギャルソンエプロンの生地の前面で、必ずしも結ばれている必要はないということに、発明者は初めて気が付いて、請求項９の発明を完成させた。
【００１２】
課題を解決するための手段は、具体的には以下の通りである。
［請求項１］従来のエプロンの紐をなくし、エプロン生地５の両上端に１組の留め具１，１'を付けて、エプロン生地５の上中央部において体型に弾力的にフィットするようにゴム２で腰回りを調節して着脱を容易にし、さらにエプロン生地５の上前面部にギャルソンエプロン風飾り紐３を取り付けたことを特徴とする乳幼児用エプロン。
［請求項２］１組の留め具の大きさが直径１０ｍｍ〜３５ｍｍで、１組の留め具の厚さが１ｍｍ〜１０ｍｍであることを特徴とする請求項１記載の乳幼児用エプロン。
［請求項３］１組の留め具が、雄雌のドットボタンであることを特徴とする請求項１〜２記載の乳幼児用エプロン。
［請求項４］１組の留め具が、ボタンとボタン穴であることを特徴とする請求項１〜３記載の乳幼児用エプロン。
［請求項５］エプロン生地５の前面部にポケット４を取り付けたことを特徴とする請求項１〜４記載の乳幼児用エプロン。
［請求項６］エプロン生地５の上前面部にギャルソンエプロン風飾り紐３を垂直方向に取り付けたことを特徴とする請求項１〜５記載の乳幼児用エプロン。
［請求項７］エプロン生地５の上前面部にギャルソンエプロン風飾り紐３を水平方向に取り付けたことを特徴とする請求項１〜６記載の乳幼児用エプロン。
［請求項８］エプロン生地５の上前面部に結んだギャルソンエプロン風飾り紐を取り付けたことを特徴とする請求項１〜７記載の乳幼児用エプロン。
［請求項９］請求項１〜８記載の乳幼児用エプロンにおいて、ギャルソンエプロン風飾り紐をなくし、エプロン生地５の両上端に１組の留め具１，１'を付けて、エプロン生地５の上中央部において体型に弾力的にフィットするようにゴム２で腰回りを調節して、着脱を容易にしたことを特徴とする請求項１〜８記載の乳幼児用エプロン。
【００１３】
＜用語の説明＞
本願明細書に用いられている用語（特に、請求項記載の用語）の解釈上の疑義を解消すべく、用語の説明を以下に示す。
○エプロンとは、上着が汚れるのを防止したり、寒さ防止のために、上着の上から羽織る衣服で、上半身と下半身の両方に着せるものと下半身のみ着せるものの二種類がある。
【００１４】
本発明では、後者の下半身のみ着せるものに限定している。
【００１５】
スカートとの相違点は、スカートが足を通して履くのに対して、エプロンは足を通さないで羽織ることにより着る点が相違する。
【００１６】
またスカートは周りに切れ目がないのに対して、エプロンは、周りに一ヶ所切れ目があるので、乳幼児が激しく運動してもエプロンが邪魔になることがない。
また、巻きスカートとの相違点は、巻きスカートは腰の左右二ヵ所以上で留め具等で固定し、さらに、巻きスカートの重なり部分がはだけるのを防ぐために紐や留め具等で固定する必要があるが、エプロンは一ヵ所のみの固定である点が相違する。
【００１７】
また、巻きスカートは通常のスカート同様、下に履いているものが見えないが、エプロンは下に履いているものの一部が露出する点が相違する。
○弾力的にフィットするとは、運動等により乳幼児の体型が変化した場合であっても、エプロンの紐、ゴム等が肉に食い込むことなく乳幼児の体型に追随してフィットすることをいう。例えば、従来のエプロンの布紐は、肉に食い込み、乳幼児にとって、着け心地が悪い。
○スカートとは、下半身を覆うようにしたもので、エプロンとの相違は上述した通りである。
○乳幼児とは、就学前の者をいう。なお、児童とは、１８歳未満の未婚の者をいう。
○チャイルドシートとは、道路交通法第７１条の３第４項により自動車に備えなければならない幼児用補助装置をいい、乳児用シート、幼児用シート及び学童用シートがある。乳幼児の肩は柔軟で、特に冬場などは厚着をしているので、ベルトの拘束に緩みがでる。したがって、チャイルドシート使用時には、厚着を避けるべく、エプロンを脱がせる必要がある。
○留め具とは、ここでは、エプロンの生地を重ねて留めるための道具（例えば、金具）をいう。例えば、ボタン、ホック、スナップ、ドットボタン等をいう。
ドットボタンとは、糸で付けていないホック式の金具ボタンで、ボタン付け穴が開いていて移動できないものをいう。
○ゴムは、エプロン装着前等のそれ程力が掛らない場合、一定の長さを保持し、力（張力）が掛った場合、伸びる。ゴムには、アジャスターゴムを用いるのが望ましい。アジャスターゴムは、汎用品であり安価である。なお、ゴムは、それ以外の弾性紐であっても良い。
ここに、アジャスターゴムとは、通常の平ゴムの中心線上に等間隔にボタン穴が開いているゴムであり、ゴム取替え口脇に取り付けたボタン（請求項４のエプロン生地の両上端に付けたボタンとは異なる）で任意のボタン穴に固定し、ゴムの長さを調節することができるものである。なお、アジャスターゴムの長さの調節は、成長等に伴うサイズの変更時のみに行うもので、着脱の都度行うものではない。
○ポケットとは、物を入れる機能のほか、ファッション性の有る需要増大機能をも発揮するものである。
○従来のエプロンの紐とは、主として、従来のギャルソンエプロンの紐をいう。
○ギャルソンエプロン（従来のギャルソンエプロンをいう。）はズボンの上から羽織るものであって、長めの紐を腰に一周させて、前面で結ぶことを特徴とするエプロンをいう。
○ギャルソンエプロン用紐とは、ギャルソンエプロンに用いられる紐で、腰部を一周させて結ぶ長めの紐をいう。ギャルソンエプロンに用いる紐は、結び目がファッションのアクセントとなるので、ギャルソンエプロン全体の商品価値を左右するほど重要である。
【００１８】
なお、ギャルソンエプロン用紐は、ギャルソンエプロンの上から、上着を羽織る場合、ギャルソンエプロン用紐の結び目が上着に隠れて見えなくなり、長い紐の端が二つ、外から覗いて見える。また、結び方によっては全く見えなくなる。このような場合には、ギャルソンエプロン用紐は、見えない以上ギャルソンエプロンの生地の前面で、必ずしも結ばれている必要はない。
○ギャルソンエプロン風飾り紐とは、ギャルソンエプロンに用いられる紐と同一視される紐をいう。例えば、ギャルソンエプロン風飾り紐は、エプロンの生地に長手方向を上下もしくは左右（斜めが良い場合もある。）に取り付けられる。そして、蝶々結びで結べば、蝶々が水平に羽を広げた姿になる。この理由は、紐の結び目を結ぶ際に、紐同士に力が働いて捩れるためであり、最終的に見栄えの良い状態になるように、取り付けられる。
○エプロン生地の上前面部とは、図における上前面部をいい、一般には、着たときの前をいうが必ずしもこれに限らない。エプロン自体を回転した場合には、前部が側部等に変化するからである。
［発明の実施の態様］
・請求項１記載の発明について
請求項１記載の発明は、「従来のエプロンの紐」をなくし、「従来のエプロンの紐部分」を「エプロン生地の両上端に付けた１組の留め具」、「エプロン生地の上中央部において体型に弾力的にフィットするようにゴムで腰回りを調節して、着脱を容易にしたこと」、「エプロン生地の上前面部に取り付けたギャルソンエプロン風飾り紐」の３つの特徴的構成要件に置き換えたものである。
【００１９】
ゴムがアジャスターゴムの場合は、ゴムの中心線上に等間隔にボタン穴が開いているため、ゴム取替え口脇に取り付けたボタン（請求項４のエプロン生地の両上端に付けたボタンとは異なる）で任意のボタン穴に固定して調節することで、成長に伴うサイズの変更に対応することができる。なお、アジャスターゴムの長さの調節は、成長等に伴うサイズの変更時のみに行うもので、着脱の都度行うものではない。
「エプロン生地の上前面部にギャルソンエプロン風飾り紐を取り付けたこと」の特徴的構成要件について、以下説明する。
【００２０】
従来のギャルソンエプロンは、ギャルソンエプロンの腰部にギャルソンエプロン用紐を腰に通して巻きつけ、紐の両端部分を結んだり解いたりすることによりギャルソンエプロンを着脱する。しかし、これでは、迅速かつ簡便な着脱が困難であった。また、乳幼児の体にフィットせず、着け心地が悪かった。また、体の前面で紐を結ぶため、垂れ下がった紐が乳幼児の興味を引き、ひっぱるために、エプロン自体が外れてしまうことがあり、その都度、介助する必要があった。発明者は、かかる課題解消の他、従来のギャルソンエプロン用紐を使った場合のような意匠的な格好よさを保持するように技術的な構成要件を付加することによって本発明を完成した。
【００２１】
従来の技術の構成要件である「エプロンの紐部分」を、「エプロン生地に付けた両上端１組の留め具」の構成要件と「エプロン生地の上中央部において体型に弾力的にフィットするようにゴムで腰回りを調節すること」の構成要件と「エプロン生地の上前面部にギャルソンエプロン風飾り紐を取り付けたこと」の構成要件（単に３構成要件とも略す。）で代替することによって、本発明を完成した。
【００２２】
エプロン生地の上前面部にギャルソンエプロン風飾り紐を取り付けたことにより、まるで、従来のギャルソンエプロンのように、乳幼児が紐で腰に巻いて、ギャルソンエプロン生地の上前面部に結んだように見えるから、本発明では、従来のギャルソンエプロンの意匠的な格好よさは、そのまま保持されるという当事者予測不可能な顕著な効果が発揮される。
すなわち、本発明の特徴的構成とすることによって、乳幼児が、大人でも慣れないと難しい従来のギャルソンエプロンの紐を、自分自身の力で、腰に巻いたように見えるという当事者予測不可能な顕著な効果が発揮される。
・請求項２記載の発明は、１組の留め具の大きさが直径１０ｍｍ〜３５ｍｍ（数値の下限は、１０ｍｍ、１３ｍｍ、１５ｍｍ、１８ｍｍ、２０ｍｍが例示される。数値の上限は、３５ｍｍ、３２ｍｍ、３０ｍｍ、２７ｍｍ、２３ｍｍが例示される。）で、１組の留め具の厚さが１ｍｍ〜１０ｍｍ（数値の下限は、１ｍｍ、２ｍｍ、３ｍｍ、４ｍｍ、５ｍｍが例示される。数値の上限は、１０ｍｍ、９ｍｍ、８ｍｍ、７ｍｍ、６ｍｍが例示される。）であることを特徴とする請求項１記載の乳幼児用エプロンである。
本発明のように、１組の留め具の大きさと１組を留め具の厚さの範囲を数値限定することにより、手元を見ないで（視覚に頼らないで、指の触覚のみで）、エプロンの着脱の介助をすることが可能である。
【００２３】
特にチャイルドシート使用時のエプロンの脱ぐ作業の介助は、片手で、しかも手元を見ないで（視覚に頼らないで、指の触覚のみで）、かつ乳幼児に力を及ぼすことなく行われることが本発明の課題となる。チャイルドシート使用時には、車の発進準備等他の作業も行う必要があり、また、乳幼児の外出には着替えやミルクやオムツ等の手荷物も多くなるので、エプロンの脱ぐ作業の介助は、片手でも容易に行えることが必要となる。
【００２４】
本発明のように、１組の留め具の大きさと１組の留め具の厚さの範囲を数値限定することにより、上記技術上の課題が解消されることとなる。
・請求項３記載の発明について
請求項３記載の発明は、１組の留め具が、雄雌のドットボタンであることを特徴とする請求項１〜２記載の乳児用エプロンである。
【００２５】
雄雌のドットボタンは、ワンタッチで着脱が容易にできるものであり、特に片手で、しかも乳幼児に力を及ぼすことなくエプロンの脱がす作業が行える。チャイルドシート使用時に、特に上記の効果が発揮されることが重要である。
・請求項４記載の発明について
請求項４記載の発明は、１組の留め具が、ボタンとボタン穴であることを特徴とする請求項１〜３記載の乳幼児用エプロンである。
【００２６】
ボタンとボタン穴は、乳幼児が自ら着脱を行うことも必要となる場合があり、乳幼児の着脱の訓練用として用いられる。
・請求項５記載の発明について
請求項５記載の発明は、エプロン生地の前面部にポケットを取り付けたことを特徴とする請求項１〜４記載の乳幼児用エプロンである。
本発明の課題は、従来のエプロンの防寒や上着の防汚といった特性を保持しつつ、また、従来のギャルソンエプロンの意匠としての優秀な特性を保持しつつ、着脱容易な乳幼児用エプロンを提供することである。
【００２７】
従来のギャルソンエプロンの意匠において、ポケットを設けることは、ポケットの機能のほか、意匠の機能として需要者の購買意欲惹起の機能を発揮させることができるからである。
・請求項６記載の発明について
請求項６記載の発明は、エプロン生地の上前面部にギャルソンエプロン風飾り紐を垂直方向に取り付けたことを特徴とする請求項１〜５記載の乳幼児用エプロンである。
【００２８】
ギャルソンエプロン風飾り紐に、比較的幅の広い素材や、張りのある素材、（例えば、幅の広い綾織テープなど）の紐を使った場合に、垂直方向に縫い付けた方が、結んだときに、歪むことなく、格好よく（蝶々が大きく羽を広げた形に）なるからである。また、結んでいないときは飾り紐が折り重なるため、ごろつき感が少なくなる。
【００２９】
飾り紐が結ばれていない状態を考慮するのは、従来のギャルソンエプロンは、衣類の一番外側に着用する場合と、上半身の上着の裾から少し見えるように着用する場合の２通りの着用の仕方があり、前者の、衣類の一番外側に着用する場合、エプロン全体が見えるため、従来のギャルソンエプロンの意匠としての優秀な特性を保持するため、飾り紐が結んだ状態であるのが望ましい。しかし、後者の上半身の上着の裾から少し見えるように着用する場合は、エプロンの上部が、上半身の上着の裾で隠れてしまうため、結んだ飾り紐が隠れてしまう。この場合、飾り紐を結ばずにそのまま垂らして、飾り紐の両端を上半身の上着の裾から覗かせることで、まるで、蝶々結びの長手部分が垂れているように見える。（従来のギャルソンエプロンは、紐の長さをエプロン着用者が調節するものなので、上半身の上着の裾から見えているギャルソンエプロン用紐の端部は、蝶々結びの端部分が垂れているように見えるようにしていた。本発明は、結び目がないが、かかる効果を発揮している。）
・請求項７記載の発明について
請求項７記載の発明は、エプロン生地の上前面部にギャルソンエプロン風飾り紐を水平方向に取り付けたことを特徴とする請求項１〜６記載の乳幼児用エプロンである。
【００３０】
ギャルソンエプロン風飾り紐に、比較的厚みのある素材や、張りのない素材、（例えば、丸紐など）の紐を使った場合、水平方向に縫い付けた方が、結んでいないときに飾り紐同士が重ならないため、ごろつき感が少なくなる。また、比較的厚みのある素材や、張りのない素材の飾り紐を結ぶ場合、輪になる部分も垂れ下がる（蝶々が羽を広げたようにはならない）ので、取り付けは水平方向であっても構わない。
・請求項８記載の発明について
請求項８記載の発明は、エプロン生地の上前面部に結んだギャルソンエプロン風飾り紐を取り付けたことを特徴とする請求項１〜７記載の乳幼児用エプロンである。
【００３１】
洗濯をしても飾り紐が解けないように、結んだ形の飾り紐を取り付けた。
・請求項９記載の発明について
請求項９記載の発明は、請求項１〜８記載の乳幼児用エプロンにおいて、ギャルソンエプロン風飾り紐をなくし、エプロン生地の両上端に１組の留め具を付けて、エプロン生地の上中央部において体型に弾力的にフィットするようにゴムで腰回りを調節して、着脱を容易にしたことを特徴とする請求項１〜８記載の乳幼児用エプロンである。
ギャルソンエプロン用紐は、ギャルソンエプロンの上から、上着を羽織る場合、ギャルソンエプロン用紐の結び目が上着に隠れて見えなくなり、長い紐の端が二つ、外から覗いて見える。また、結び方によっては全く見えなくなる。このような場合には、ギャルソンエプロン用紐は、見えない以上、ギャルソンエプロンの生地の前面で、必ずしも結ばれている必要はない。
本発明者は、上記に初めて気が付いて、請求項１〜８記載の乳幼児用エプロンにおいて、ギャルソンエプロン風飾り紐をなくし、本発明を想到した。
なお、従来のエプロンとして、後ろで紐を結ぶタイプのエプロンとの比較で、説明する。
本発明は、従来のエプロンの紐をなくし、エプロン生地の両上端に１組の留め具を付けて、エプロン生地の上中央部において体型に弾力的にフィットするようにゴムで腰回りを調節して、着脱を容易にしたことを特徴とする乳幼児用エプロンである。
【００３２】
従来のエプロンは、エプロンの腰部にエプロン用紐を巻きつけ、紐の両端部分を結んだり解いたりすることによりエプロンを着脱する。しかし、腰部の後ろで紐を結んで固定しなければならず、乳幼児の着脱には介助が必要であった。また、腰部の後ろ中心で（ずれることなく）結ばなければならず、（特に、じっとしていない、あるいは排泄時やオムツ替えの際の）乳幼児の着脱の介助に手間がかかるといった欠点があり、これでは、迅速かつ簡便な着脱が困難であったが、発明者は、以下のような発想に至り本発明を完成した。
【００３３】
従来の技術の構成要件である「エプロンの紐部分」を、「エプロン生地に付けた両上端１組の留め具」の構成要件と「エプロン生地の上中央部において体型に弾力的にフィットするようにゴムで腰回りを調節すること」の構成要件で代替することによって、本発明（請求項９記載の発明）を完成した。
【００３４】
なお、エプロンは上着の上から羽織るもので、身体に直接接触する下着とは異なり、乳幼児の体を傷つけることを考えることがないので、留め具は金具から構成されたものであっても構わない。
【００３５】
敢えて、１組の留め具としたのは、本発明課題である「乳幼児に迅速かつ簡便にエプロンを着脱すること」の解消を図るためで、複数組の留め具であれば、着脱に手間がかかり、本発明課題の解消が到底できないからである。
「エプロン生地の上中央部において体型に弾力的にフィットするようにゴムで腰回りを調節すること」の構成要件の意義は、従来の紐で腰の位置にエプロンを固定したのでは、乳幼児が動いて体型が変化した場合に、乳幼児にとっては着け心地が悪いことを改善するためであり、体型に弾力的にフィットするようにゴムで腰回りを調節することにより、上記の構成要件とすることにより、乳幼児にとっての着け心地を改善できた。
【００３６】
また、「エプロンの紐部分」を、「エプロン生地に付けた両上端１組の留め具」の構成要件と「エプロン生地の上中央部において体型に弾力的にフィットするようにゴムで腰回りを調節すること」の構成要件で代替することによって、腰回りに伸縮性をもたすことによって、留め具を留めた後、任意の位置までエプロンを回せばいいため、じっとしていない乳幼児にも、エプロンを簡単に着せることができる。動き回る乳幼児の前後、左右など、どの方面からも、しかも手元を見ないで（視覚に頼らないで、指の触覚のみで）、かつ乳幼児に力を及ぼすことなく着せることができるため、従来のエプロンの紐部分が、腰部の後ろ中心でない位置にある場合でも着用ができるという課題が解消されることとなる。
【発明の効果】
【００３７】
本発明の構成とすることにより、下記を具備する着脱容易な乳幼児用エプロンを提供するという本発明課題を達成することができた。
（１）乳幼児の体型にフィットして、乳幼児にとって着け心地がよいエプロンであること
（２）紐を用いてエプロンを着脱するために、乳幼児にエプロンを着脱の介助に手間がかからないこと（特に、じっとしていない、あるいは排泄時やオムツ替えの際の乳幼児に迅速かつ簡便にエプロンを着脱することができること）
（３）従来のエプロンの紐部分が、腰部の後ろ中心でない位置にある場合でも着用ができること
（４）乳幼児の自立の支援のために、簡単な手順で着脱ができること
（５）従来のギャルソンエプロンの意匠としての優秀な特徴である結んだギャルソンエプロン風飾り紐を設けること
さらに、本発明の構成により、具体的には、以下のような効果を達成することができた。
（１）エプロンの着脱が容易なため、乳幼児の移動等による室内外の温度差に起因する外気の温度変化に対して素早く対応ができる。
（２）じっとしていない乳幼児にも、エプロンを簡単に着せることができる。動き回る乳幼児の前後、左右など、どの方面からも、しかも手元を見ないで（視覚に頼らないで、指の触覚のみで）、かつ乳幼児に力を及ぼすことなく着せることができる。
（３）チャイルドシート使用時に、エプロンを容易に脱がせることができるため、体温上昇による「うつ熱」やベルトの拘束が緩くなるのを防ぐことができる。
（４）エプロンのウエスト部分がゴムのため、乳幼児の肉に食い込むことがなく、乳幼児にとって着け心地がよい。
（５）乳幼児の排泄時や、オムツ替えの際に、介助者が紐などを結びなおす必要がない。
（６）不意に乳幼児が寝入っても、乳幼児を目覚めさせることなく、エプロンを取り外すことができる。
（７）エプロンを幼児が自ら着けようとする場合、体の前面で留め具を留めた後、留め具部分を好きな位置まで回して移動させればいいため、幼児の着脱の訓練となる。
（８）エプロンを幼児が自ら外そうとする場合、体の前面まで留め具部分を回して移動させた後、留め具を外せばいいため、幼児の着脱の訓練となる。
（９）エプロンの特徴である組み合わせの応用が利き、着回しがきく。
（１０）エプロンの着用時、留め具位置を前後、左右等に変えることにより、、いろいろな雰囲気のファッションを楽しむことができ、多様な商品を提供することができる。
（１１）大人同様にファッションとしての重ね着が楽しめ、乳幼児に人気があるギャルソンエプロン風エプロンを提供することができる。
【発明を実施するための最良の形態】
【００３８】
発明の最良の形態は、実施例１と考えられる。
【００３９】
以下、各実施例について説明する。
【実施例１】
【００４０】
図１に基づいて、実施例１を説明する。
【００４１】
実施例１は、従来のギャルソンエプロンから想到した本発明である。
【００４２】
エプロン生地５の両上端に１組の留め具１，１'である雄雌のドットボタンを付けた。そして、エプロン生地５の上中央部において体型に弾力的にフィットするようにゴム（アジャスターゴム）３で腰回りを調節して着脱を容易にした。そして、エプロン生地５の上前面部にギャルソンエプロン風飾り紐３を取り付けた。さらに、エプロン生地５の前面部にポケット４を取り付けた。
【実施例２】
【００４３】
図２に基づいて、実施例２を説明する。
【００４４】
実施例２は、従来のギャルソンエプロンから想到した実施例１において、ギャルソンエプロン風飾り紐３をなくした実施例である。
【比較例１】
【００４５】
図３に基づいて、比較例１を説明する。
【００４６】
比較例１は、従来のギャルソンエプロンである。
【００４７】
前中心を腹部に当て、紐Ａ１を後ろに回し、裏面から穴Ｂへ通し、表に出し、表面から紐通しＣ１に通す。紐Ａ２も後ろに回し、表面から紐通しＣ２へ通し、表に出し、前面へ持ってきて紐Ａ１、紐Ａ２を蝶々結びで結んで、紐Ａ１、紐Ａ２の端を垂れ下がるようにする。
【図面の簡単な説明】
【００４８】
【図１】本発明の説明図である。（実施例１）
【図２】本発明の説明図である。（実施例２）
【図３】従来技術の説明図である。
【図４】従来技術の説明図である。前面図（体の正面から見た図）と後面図（体の後ろから見た図）がある。
【符号の説明】
【００４９】
１    留め具
２    ゴム
３    飾り紐
４    ポケット
５    エプロン生地
【図１】
2005206999.tif 000003
【図２】
2005206999.tif 000004
【図３】
2005206999.tif 000005
【図４】
2005206999.tif 000006
【手続補正書】
【提出日】平成16年11月9日(2004.11.9)
【手続補正１】
【補正対象書類名】特許請求の範囲
【補正対象項目名】全文
【補正方法】変更
【補正の内容】
【特許請求の範囲】
【請求項１】
ギャルソンエプロンにおいて、ギャルソンエプロンの紐をなくし、エプロンの脱ぐ作業の介助が、片手で、しかも手元を見ないでできるようにエプロン生地の両上端に１組の留め具を付けて、エプロン生地の上中央部において体型に弾力的にフィットするようにゴムで腰回りを調節して着脱を容易にし、さらにエプロン生地の上前面部にギャルソンエプロン風飾り紐を取り付けて、乳幼児が、大人でも慣れないと難しい従来のギャルソンエプロンの紐を、自分自身の力で、腰に巻いたように見えることを特徴とする乳幼児用ギャルソンエプロン。
【請求項２】
１組の留め具の大きさが直径１０ｍｍ〜３５ｍｍで、１組の留め具の厚さが１ｍｍ〜１０ｍｍであることを特徴とする請求項１記載の乳幼児用ギャルソンエプロン。
【請求項３】
１組の留め具が、雄雌のドットボタンであることを特徴とする請求項１〜２記載の乳幼児用ギャルソンエプロン。
【請求項４】
１組の留め具が、ボタンとボタン穴であることを特徴とする請求項１〜３記載の乳幼児用ギャルソンエプロン。
【請求項５】
エプロン生地の前面部にポケットを取り付けたことを特徴とする請求項１〜４記載の乳幼児用ギャルソンエプロン。
【請求項６】
エプロン生地の上前面部にギャルソンエプロン風飾り紐を垂直方向に取り付けたことを特徴とする請求項１〜５記載の乳幼児用ギャルソンエプロン。
【請求項７】
エプロン生地の上前面部にギャルソンエプロン風飾り紐を水平方向に取り付けたことを特徴とする請求項１〜６記載の乳幼児用ギャルソンエプロン。
【請求項８】
エプロン生地の上前面部に結んだギャルソンエプロン風飾り紐を取り付けたことを特徴とする請求項１〜７記載の乳幼児用ギャルソンエプロン。
【手続補正２】
【補正対象書類名】明細書
【補正対象項目名】全文
【補正方法】変更
【補正の内容】
【発明の詳細な説明】
【技術分野】
【０００１】
本発明は、従来のエプロンの紐をなくし、着脱を容易にした乳幼児用ギャルソンエプロンに関するものである。
【背景技術】
【０００２】
従来、乳幼児にしろ、大人にしろ、外気温度の変動による体温調節は、着衣の枚数で（寒いときには厚着、夏には薄着で）行っていた。
例えば、冬には、下着、その上に上着、さらにコートやジャンパーやスーツタイプの防寒着で体温調節を行っていた。
しかしながら、よく動き回る乳幼児にとって、コートやジャンパーやスーツタイプの防寒着は、手足の動きを妨げて、却って危険であった。
またコートやスーツタイプの防寒着は上半身あるいは下半身のみ着脱することができず、下半身あるいは上半身のみについて重ね着をしたいという需要者の要望には応えることができなかった。
かかる従来技術の状況に鑑みて、着脱容易な重ね着用衣類のニーズが顕在化していたが、このニーズを充足すべく、スカート付きスパッツ（及びズボン）、スカートやエプロンが存在することとなった。
しかし、スカート付きスパッツ（及びズボン）は以下のような欠点があった。
（１）スカート付きスパッツ（及びズボン）は、スカートとスパッツ（ズボン）が一体化しているためスカートだけ脱ぐことができない。そのため、乳幼児の昼寝時にごろついたり、チャイルドシートのベルトの拘束が緩くなるという欠点があった。
（２）チャイルドシート使用時の厚着は、着脱による体温調節ができないため、乳幼児突然死症候群の誘因の一つである「うつ熱」を引き起こす可能性があった。
（３）スカートとスパッツ（ズボン）の組み合わせが決まってしまうため、スカートとスパッツ（ズボン）の組み合わせを自由に選択することができず、着回しができないという欠点があった。
【０００３】
しかし、スカートには、以下のような欠点があった。
（１）スカートを使用する場合、「オムツ（パンツ）」→「スパッツ（ズボン）」→「スカート」と乳幼児の足を各衣類に通す回数が多く、乳幼児に着せる介助者の立場から考えて大変面倒であった。
【０００４】
これに対して、エプロンは、スカートのように乳幼児の足を通す必要がなく、羽織るだけで済むため、スカートよりは着脱容易となっているが、エプロンには、なお、以下のような欠点があった。
（１）従来のエプロン（下半身のみ覆うタイプ）の体への固定手段は紐しかなかった。
（２）紐で結んで腰の位置を固定するため、乳幼児の体にフィットせず、着け心地が悪い。
（３）従来のエプロン（下半身のみ覆うタイプ）は、腰部の後ろで紐を結んで固定しなければならず、乳幼児の着脱には介助が必要であった。また腰部の後ろ中心で（ずれることなく）紐を結ばなければならず、着脱の介助に手間がかかるといった欠点があった。特にじっとしていない、あるいは排泄時やオムツ替えの際の乳幼児に迅速かつ簡便にエプロンを着脱することができなかった。
（４）通常のエプロンは涎掛けのような機能を主体としたものでデザイン的にも乳幼児に人気のあるものではなかった。
【０００５】
しかしながら、最近になって、カフェ等でウェートレスが、ギャルソンエプロン（固定のための紐を体の前で結ぶタイプ）を腰に着て給仕の仕事をしていて、それが客の側にも格好よく映り、口コミ等で一般の若い女性の間にも流行して広く普及することになった。
【０００６】
乳幼児にとっても、ギャルソンエプロンは若い女性と同様、非常に人気があり、それが格好よく映り乳幼児の間にも流行して、ギャルソンエプロンを付けた乳幼児は確実に増加しつつある。
【０００７】
しかし、従来のギャルソンエプロンには以下のような欠点があった。
（１）従来のギャルソンエプロンは、腰の位置を紐で固定するため、乳幼児の体にフィットせず、着け心地が悪い。
（２）紐を用いてエプロンを着脱するために、乳幼児にエプロンを着脱の介助に（特にエプロン生地に紐を通したり、結んだり等）手間がかかるといった欠点があった。また、腰部の前中心で（ずれることなく）紐を結ばなければならず、特に、じっとしていない、あるいは排泄時やオムツ替えの際の乳幼児に迅速かつ簡便にエプロンを着脱することができなかった。
（３）固定のための紐を体の前面で結ぶため、垂れ下がった紐が乳幼児の興味を引き、ひっぱるために、すぐにエプロン自体が外れてしまうという欠点があった。
【発明の開示】
【発明が解決しようとする課題】
【０００８】
従来のエプロンの防寒や上着の防汚といった特性を保持しつつ、また、従来のギャルソンエプロンの意匠としての優秀な特性を保持しつつ、上述した従来のエプロンの欠点を解消した着脱容易な乳幼児用ギャルソンエプロンを提供することが本発明の課題である。
【０００９】
すなわち、発明が解決しようとする課題は、下記を具備する着脱容易な乳幼児用ギャルソンエプロンを提供することである。
（１）乳幼児の体型にフィットして、乳幼児にとって着け心地がよいエプロンであること
（２）紐を用いてエプロンを着脱するために、乳幼児にエプロンを着脱の介助に手間がかからないこと（特に、じっとしていない、あるいは排泄時やオムツ替えの際の乳幼児に迅速かつ簡便にエプロンを着脱することができること）
（３）従来のエプロンの紐部分が、腰部の後ろ中心でない位置にある場合でも着用ができること
（４）乳幼児の自立支援のために、簡単な手順で着脱ができること
（５）従来のギャルソンエプロンの意匠としての優秀な特徴である結んだギャルソンエプロン風飾り紐を設けること
【課題を解決するための手段】
【００１０】
発明者は、従来のエプロンの防寒や上着の防汚といった特性を保持しつつ、上述した従来のエプロンの欠点を解消した着脱容易な乳幼児用ギャルソンエプロンを提供すべく、ギャルソンエプロンの紐をなくし、エプロン生地の両上端に１組の留め具を付けて、エプロン生地の上中央部において体型に弾力的にフィットするようにゴムで腰回りを調節して着脱を容易にすると共に、上前面部にギャルソンエプロン風飾り紐を取り付けたことを特徴とする乳幼児用ギャルソンエプロン及びその改良発明をした。
【００１１】
さらに、ギャルソンエプロン用紐は、ギャルソンエプロンの上から、上着を羽織る場合、ギャルソンエプロン用紐の結び目が上着に隠れて見えなくなり、長い紐の端が二つ、外から覗いて見える。また、結び方によっては全く見えなくなる。このような場合には、ギャルソンエプロン用紐は、見えない以上ギャルソンエプロンの生地の前面で、必ずしも結ばれている必要はないということに、発明者は初めて気が付いて、請求項９の発明を完成させた。
【００１２】
課題を解決するための手段は、具体的には以下の通りである。
［請求項１］ギャルソンエプロンにおいて、ギャルソンエプロンの紐をなくし、エプロンの脱ぐ作業の介助が、片手で、しかも手元を見ないでできるようにエプロン生地の両上端に１組の留め具を付けて、エプロン生地の上中央部において体型に弾力的にフィットするようにゴムで腰回りを調節して着脱を容易にし、さらにエプロン生地の上前面部にギャルソンエプロン風飾り紐を取り付けて、乳幼児が、大人でも慣れないと難しい従来のギャルソンエプロンの紐を、自分自身の力で、腰に巻いたように見えることを特徴とする乳幼児用エプロン。
［請求項２］１組の留め具の大きさが直径１０ｍｍ〜３５ｍｍで、１組の留め具の厚さが１ｍｍ〜１０ｍｍであることを特徴とする請求項１記載の乳幼児用ギャルソンエプロン。
［請求項３］１組の留め具が、雄雌のドットボタンであることを特徴とする請求項１〜２記載の乳幼児用ギャルソンエプロン。
［請求項４］１組の留め具が、ボタンとボタン穴であることを特徴とする請求項１〜３記載の乳幼児用ギャルソンエプロン。
［請求項５］エプロン生地５の前面部にポケット４を取り付けたことを特徴とする請求項１〜４記載の乳幼児用ギャルソンエプロン。
［請求項６］エプロン生地５の上前面部にギャルソンエプロン風飾り紐３を垂直方向に取り付けたことを特徴とする請求項１〜５記載の乳幼児用ギャルソンエプロン。
［請求項７］エプロン生地５の上前面部にギャルソンエプロン風飾り紐３を水平方向に取り付けたことを特徴とする請求項１〜６記載の乳幼児用ギャルソンエプロン。
［請求項８］エプロン生地５の上前面部に結んだギャルソンエプロン風飾り紐を取り付けたことを特徴とする請求項１〜７記載の乳幼児用ギャルソンエプロン。
［請求項９］請求項１〜８記載の乳幼児用ギャルソンエプロンにおいて、ギャルソンエプロン風飾り紐をなくし、エプロン生地５の両上端に１組の留め具１，１'を付けて、エプロン生地５の上中央部において体型に弾力的にフィットするようにゴム２で腰回りを調節して、着脱を容易にしたことを特徴とする請求項１〜８記載の乳幼児用ギャルソンエプロン。
【００１３】
＜用語の説明＞
本願明細書に用いられている用語（特に、請求項記載の用語）の解釈上の疑義を解消すべく、用語の説明を以下に示す。
○エプロンとは、上着が汚れるのを防止したり、寒さ防止のために、上着の上から羽織る衣服で、上半身と下半身の両方に着せるものと下半身のみ着せるものの二種類がある。
【００１４】
本発明では、後者の下半身のみ着せるものに限定している。
【００１５】
スカートとの相違点は、スカートが足を通して履くのに対して、エプロンは足を通さないで羽織ることにより着る点が相違する。
【００１６】
またスカートは周りに切れ目がないのに対して、エプロンは、周りに一ヶ所切れ目があるので、乳幼児が激しく運動してもエプロンが邪魔になることがない。
また、巻きスカートとの相違点は、巻きスカートは腰の左右二ヵ所以上で留め具等で固定し、さらに、巻きスカートの重なり部分がはだけるのを防ぐために紐や留め具等で固定する必要があるが、エプロンは一ヵ所のみの固定である点が相違する。
【００１７】
また、巻きスカートは通常のスカート同様、下に履いているものが見えないが、エプロンは下に履いているものの一部が露出する点が相違する。
○弾力的にフィットするとは、運動等により乳幼児の体型が変化した場合であっても、エプロンの紐、ゴム等が肉に食い込むことなく乳幼児の体型に追随してフィットすることをいう。例えば、従来のエプロンの布紐は、肉に食い込み、乳幼児にとって、着け心地が悪い。
○スカートとは、下半身を覆うようにしたもので、エプロンとの相違は上述した通りである。
○乳幼児とは、就学前の者をいう。なお、児童とは、１８歳未満の未婚の者をいう。
○チャイルドシートとは、道路交通法第７１条の３第４項により自動車に備えなければならない幼児用補助装置をいい、乳児用シート、幼児用シート及び学童用シートがある。乳幼児の肩は柔軟で、特に冬場などは厚着をしているので、ベルトの拘束に緩みがでる。したがって、チャイルドシート使用時には、厚着を避けるべく、エプロンを脱がせる必要がある。
○留め具とは、ここでは、エプロンの生地を重ねて留めるための道具（例えば、金具）をいう。例えば、ボタン、ホック、スナップ、ドットボタン等をいう。
ドットボタンとは、糸で付けていないホック式の金具ボタンで、ボタン付け穴が開いていて移動できないものをいう。
○ゴムは、エプロン装着前等のそれ程力が掛らない場合、一定の長さを保持し、力（張力）が掛った場合、伸びる。ゴムには、アジャスターゴムを用いるのが望ましい。アジャスターゴムは、汎用品であり安価である。なお、ゴムは、それ以外の弾性紐であっても良い。
ここに、アジャスターゴムとは、通常の平ゴムの中心線上に等間隔にボタン穴が開いているゴムであり、ゴム取替え口脇に取り付けたボタン（請求項４のエプロン生地の両上端に付けたボタンとは異なる）で任意のボタン穴に固定し、ゴムの長さを調節することができるものである。なお、アジャスターゴムの長さの調節は、成長等に伴うサイズの変更時のみに行うもので、着脱の都度行うものではない。
○ポケットとは、物を入れる機能のほか、ファッション性の有る需要増大機能をも発揮するものである。
○従来のエプロンの紐とは、主として、従来のギャルソンエプロンの紐をいう。
○ギャルソンエプロン（従来のギャルソンエプロンをいう。）とは、ズボンの上から羽織るものであって、長めの紐を腰に一周させて、前面で結ぶことを特徴とするエプロンをいう。
○ギャルソンエプロン用紐とは、ギャルソンエプロンに用いられる紐で、腰部を一周させて結ぶ長めの紐をいう。ギャルソンエプロンに用いる紐は、結び目がファッションのアクセントとなるので、ギャルソンエプロン全体の商品価値を左右するほど重要である。
【００１８】
なお、ギャルソンエプロン用紐は、ギャルソンエプロンの上から、上着を羽織る場合、ギャルソンエプロン用紐の結び目が上着に隠れて見えなくなり、長い紐の端が二つ、外から覗いて見える。また、結び方によっては全く見えなくなる。このような場合には、ギャルソンエプロン用紐は、見えない以上ギャルソンエプロンの生地の前面で、必ずしも結ばれている必要はない。
○ギャルソンエプロン風飾り紐とは、ギャルソンエプロンに用いられる紐と同一視される紐をいう。例えば、ギャルソンエプロン風飾り紐は、エプロンの生地に長手方向を上下もしくは左右（斜めが良い場合もある。）に取り付けられる。そして、蝶々結びで結べば、蝶々が水平に羽を広げた姿になる。この理由は、紐の結び目を結ぶ際に、紐同士に力が働いて捩れるためであり、最終的に見栄えの良い状態になるように、取り付けられる。
○エプロン生地の上前面部とは、図における上前面部をいい、一般には、着たときの前をいうが必ずしもこれに限らない。エプロン自体を回転した場合には、前部が側部等に変化するからである。
［発明の実施の態様］
・請求項１記載の発明について
請求項１記載の発明は、「ギャルソンエプロンにおいて、ギャルソンエプロンの紐をなくし、エプロンの脱ぐ作業の介助が、片手で、しかも手元を見ないでできるようにエプロン生地の両上端に１組の留め具を付けて、エプロン生地の上中央部において体型に弾力的にフィットするようにゴムで腰回りを調節して着脱を容易にし、さらにエプロン生地の上前面部にギャルソンエプロン風飾り紐を取り付けて、乳幼児が、大人でも慣れないと難しい従来のギャルソンエプロンの紐を、自分自身の力で、腰に巻いたように見えることを特徴とする乳幼児用エプロン」の発明である。
請求項１記載の発明は、「ギャルソンエプロンの紐」をなくし、「ギャルソンエプロンの紐」を「エプロンの脱ぐ作業の介助が、片手で、しかも手元を見ないでできるように、エプロン生地の両上端に付けた１組の留め具」、「エプロン生地の上中央部において体型に弾力的にフィットするようにゴムで腰回りを調節して、着脱を容易にしたこと」、「エプロン生地の上前面部にギャルソンエプロン風飾り紐を取り付けて、乳幼児が、大人でも慣れないと難しい従来のギャルソンエプロンの紐を、自分自身の力で、腰に巻いたように見えること」の３つの特徴的構成要件に置き換えたものである。
【００１９】
ゴムがアジャスターゴムの場合は、ゴムの中心線上に等間隔にボタン穴が開いているため、ゴム取替え口脇に取り付けたボタン（請求項４のエプロン生地の両上端に付けたボタンとは異なる）で任意のボタン穴に固定して調節することで、成長に伴うサイズの変更に対応することができる。なお、アジャスターゴムの長さの調節は、成長等に伴うサイズの変更時のみに行うもので、着脱の都度行うものではない。
「エプロン生地の上前面部にギャルソンエプロン風飾り紐を取り付けて、乳幼児が、大人でも慣れないと難しい従来のギャルソンエプロンの紐を、自分自身の力で、腰に巻いたように見えること」の特徴的構成要件について、以下説明する。
【００２０】
従来のギャルソンエプロンは、ギャルソンエプロンの腰部にギャルソンエプロン用紐を腰に通して巻きつけ、紐の両端部分を結んだり解いたりすることによりギャルソンエプロンを着脱する。しかし、これでは、迅速かつ簡便な着脱が困難であった。また、乳幼児の体にフィットせず、着け心地が悪かった。また、体の前面で紐を結ぶため、垂れ下がった紐が乳幼児の興味を引き、ひっぱるために、エプロン自体が外れてしまうことがあり、その都度、介助する必要があった。発明者は、かかる課題解消の他、従来のギャルソンエプロン用紐を使った場合のような意匠的な格好よさを保持するように技術的な構成要件を付加することによって本発明を完成した。
【００２１】
従来の技術の構成要件である「エプロンの紐部分」を、「エプロン生地に付けた両上端１組の留め具」の構成要件と「エプロン生地の上中央部において体型に弾力的にフィットするようにゴムで腰回りを調節すること」の構成要件と「エプロン生地の上前面部にギャルソンエプロン風飾り紐を取り付けたこと」の構成要件（単に３構成要件とも略す。）で代替することによって、本発明を完成した。
【００２２】
エプロン生地の上前面部にギャルソンエプロン風飾り紐を取り付けたことにより、まるで、従来のギャルソンエプロンのように、乳幼児が紐で腰に巻いて、ギャルソンエプロン生地の上前面部に結んだように見えるから、本発明では、従来のギャルソンエプロンの意匠的な格好よさは、そのまま保持されるという当事者予測不可能な顕著な効果が発揮される。
すなわち、本発明の特徴的構成とすることによって、乳幼児が、大人でも慣れないと難しい従来のギャルソンエプロンの紐を、自分自身の力で、腰に巻いたように見えるという当事者予測不可能な顕著な効果が発揮される。
・請求項２記載の発明は、１組の留め具の大きさが直径１０ｍｍ〜３５ｍｍ（数値の下限は、１０ｍｍ、１３ｍｍ、１５ｍｍ、１８ｍｍ、２０ｍｍが例示される。数値の上限は、３５ｍｍ、３２ｍｍ、３０ｍｍ、２７ｍｍ、２３ｍｍが例示される。）で、１組の留め具の厚さが１ｍｍ〜１０ｍｍ（数値の下限は、１ｍｍ、２ｍｍ、３ｍｍ、４ｍｍ、５ｍｍが例示される。数値の上限は、１０ｍｍ、９ｍｍ、８ｍｍ、７ｍｍ、６ｍｍが例示される。）であることを特徴とする請求項１記載の乳幼児用ギャルソンエプロンである。
本発明のように、１組の留め具の大きさと１組を留め具の厚さの範囲を数値限定することにより、手元を見ないで（視覚に頼らないで、指の触覚のみで）、エプロンの着脱の介助をすることが可能である。
【００２３】
特にチャイルドシート使用時のエプロンの脱ぐ作業の介助は、片手で、しかも手元を見ないで（視覚に頼らないで、指の触覚のみで）、かつ乳幼児に力を及ぼすことなく行われることが本発明の課題となる。チャイルドシート使用時には、車の発進準備等他の作業も行う必要があり、また、乳幼児の外出には着替えやミルクやオムツ等の手荷物も多くなるので、エプロンの脱ぐ作業の介助は、片手でも容易に行えることが必要となる。
【００２４】
本発明のように、１組の留め具の大きさと１組の留め具の厚さの範囲を数値限定することにより、上記技術上の課題が解消されることとなる。
・請求項３記載の発明について
請求項３記載の発明は、１組の留め具が、雄雌のドットボタンであることを特徴とする請求項１〜２記載の乳児用エプロンである。
【００２５】
雄雌のドットボタンは、ワンタッチで着脱が容易にできるものであり、特に片手で、しかも乳幼児に力を及ぼすことなくエプロンの脱がす作業が行える。チャイルドシート使用時に、特に上記の効果が発揮されることが重要である。
・請求項４記載の発明について
請求項４記載の発明は、１組の留め具が、ボタンとボタン穴であることを特徴とする請求項１〜３記載の乳幼児用ギャルソンエプロンである。
【００２６】
ボタンとボタン穴は、乳幼児が自ら着脱を行うことも必要となる場合があり、乳幼児の着脱の訓練用として用いられる。
・請求項５記載の発明について
請求項５記載の発明は、エプロン生地の前面部にポケットを取り付けたことを特徴とする請求項１〜４記載の乳幼児用ギャルソンエプロンである。
本発明の課題は、従来のエプロンの防寒や上着の防汚といった特性を保持しつつ、また、従来のギャルソンエプロンの意匠としての優秀な特性を保持しつつ、着脱容易な乳幼児用ギャルソンエプロンを提供することである。
【００２７】
従来のギャルソンエプロンの意匠において、ポケットを設けることは、ポケットの機能のほか、意匠の機能として需要者の購買意欲惹起の機能を発揮させることができるからである。
・請求項６記載の発明について
請求項６記載の発明は、エプロン生地の上前面部にギャルソンエプロン風飾り紐を垂直方向に取り付けたことを特徴とする請求項１〜５記載の乳幼児用ギャルソンエプロンである。
【００２８】
ギャルソンエプロン風飾り紐に、比較的幅の広い素材や、張りのある素材、（例えば、幅の広い綾織テープなど）の紐を使った場合に、垂直方向に縫い付けた方が、結んだときに、歪むことなく、格好よく（蝶々が大きく羽を広げた形に）なるからである。また、結んでいないときは飾り紐が折り重なるため、ごろつき感が少なくなる。
【００２９】
飾り紐が結ばれていない状態を考慮するのは、従来のギャルソンエプロンは、衣類の一番外側に着用する場合と、上半身の上着の裾から少し見えるように着用する場合の２通りの着用の仕方があり、前者の、衣類の一番外側に着用する場合、エプロン全体が見えるため、従来のギャルソンエプロンの意匠としての優秀な特性を保持するため、飾り紐が結んだ状態であるのが望ましい。しかし、後者の上半身の上着の裾から少し見えるように着用する場合は、エプロンの上部が、上半身の上着の裾で隠れてしまうため、結んだ飾り紐が隠れてしまう。この場合、飾り紐を結ばずにそのまま垂らして、飾り紐の両端を上半身の上着の裾から覗かせることで、まるで、蝶々結びの長手部分が垂れているように見える。（従来のギャルソンエプロンは、紐の長さをエプロン着用者が調節するものなので、上半身の上着の裾から見えているギャルソンエプロン用紐の端部は、蝶々結びの端部分が垂れているように見えるようにしていた。本発明は、結び目がないが、かかる効果を発揮している。）
・請求項７記載の発明について
請求項７記載の発明は、エプロン生地の上前面部にギャルソンエプロン風飾り紐を水平方向に取り付けたことを特徴とする請求項１〜６記載の乳幼児用ギャルソンエプロンである。
【００３０】
ギャルソンエプロン風飾り紐に、比較的厚みのある素材や、張りのない素材、（例えば、丸紐など）の紐を使った場合、水平方向に縫い付けた方が、結んでいないときに飾り紐同士が重ならないため、ごろつき感が少なくなる。また、比較的厚みのある素材や、張りのない素材の飾り紐を結ぶ場合、輪になる部分も垂れ下がる（蝶々が羽を広げたようにはならない）ので、取り付けは水平方向であっても構わない。
・請求項８記載の発明について
請求項８記載の発明は、エプロン生地の上前面部に結んだギャルソンエプロン風飾り紐を取り付けたことを特徴とする請求項１〜７記載の乳幼児用ギャルソンエプロンである。
【００３１】
洗濯をしても飾り紐が解けないように、結んだ形の飾り紐を取り付けた。
・請求項９記載の発明について
請求項９記載の発明は、請求項１〜８記載の乳幼児用ギャルソンエプロンにおいて、ギャルソンエプロン風飾り紐をなくし、エプロン生地の両上端に１組の留め具を付けて、エプロン生地の上中央部において体型に弾力的にフィットするようにゴムで腰回りを調節して、着脱を容易にしたことを特徴とする請求項１〜８記載の乳幼児用ギャルソンエプロンである。
ギャルソンエプロン用紐は、ギャルソンエプロンの上から、上着を羽織る場合、ギャルソンエプロン用紐の結び目が上着に隠れて見えなくなり、長い紐の端が二つ、外から覗いて見える。また、結び方によっては全く見えなくなる。このような場合には、ギャルソンエプロン用紐は、見えない以上、ギャルソンエプロンの生地の前面で、必ずしも結ばれている必要はない。
本発明者は、上記に初めて気が付いて、請求項１〜８記載の乳幼児用ギャルソンエプロンにおいて、ギャルソンエプロン風飾り紐をなくし、本発明を想到した。
なお、従来のエプロンとして、後ろで紐を結ぶタイプのエプロンとの比較で、説明する。
本発明は、従来のエプロンの紐をなくし、エプロン生地の両上端に１組の留め具を付けて、エプロン生地の上中央部において体型に弾力的にフィットするようにゴムで腰回りを調節して、着脱を容易にしたことを特徴とする乳幼児用ギャルソンエプロンである。
【００３２】
従来のエプロンは、エプロンの腰部にエプロン用紐を巻きつけ、紐の両端部分を結んだり解いたりすることによりエプロンを着脱する。しかし、腰部の後ろで紐を結んで固定しなければならず、乳幼児の着脱には介助が必要であった。また、腰部の後ろ中心で（ずれることなく）結ばなければならず、（特に、じっとしていない、あるいは排泄時やオムツ替えの際の）乳幼児の着脱の介助に手間がかかるといった欠点があり、これでは、迅速かつ簡便な着脱が困難であったが、発明者は、以下のような発想に至り本発明を完成した。
【００３３】
従来の技術の構成要件である「エプロンの紐部分」を、「エプロン生地に付けた両上端１組の留め具」の構成要件と「エプロン生地の上中央部において体型に弾力的にフィットするようにゴムで腰回りを調節すること」の構成要件で代替することによって、本発明（請求項９記載の発明）を完成した。
【００３４】
なお、エプロンは上着の上から羽織るもので、身体に直接接触する下着とは異なり、乳幼児の体を傷つけることを考えることがないので、留め具は金具から構成されたものであっても構わない。
【００３５】
敢えて、１組の留め具としたのは、本発明課題である「乳幼児に迅速かつ簡便にエプロンを着脱すること」の解消を図るためで、複数組の留め具であれば、着脱に手間がかかり、本発明課題の解消が到底できないからである。
「エプロン生地の上中央部において体型に弾力的にフィットするようにゴムで腰回りを調節すること」の構成要件の意義は、従来の紐で腰の位置にエプロンを固定したのでは、乳幼児が動いて体型が変化した場合に、乳幼児にとっては着け心地が悪いことを改善するためであり、体型に弾力的にフィットするようにゴムで腰回りを調節することにより、上記の構成要件とすることにより、乳幼児にとっての着け心地を改善できた。
【００３６】
また、「エプロンの紐部分」を、「エプロン生地に付けた両上端１組の留め具」の構成要件と「エプロン生地の上中央部において体型に弾力的にフィットするようにゴムで腰回りを調節すること」の構成要件で代替することによって、腰回りに伸縮性をもたすことによって、留め具を留めた後、任意の位置までエプロンを回せばいいため、じっとしていない乳幼児にも、エプロンを簡単に着せることができる。動き回る乳幼児の前後、左右など、どの方面からも、しかも手元を見ないで（視覚に頼らないで、指の触覚のみで）、かつ乳幼児に力を及ぼすことなく着せることができるため、従来のエプロンの紐部分が、腰部の後ろ中心でない位置にある場合でも着用ができるという課題が解消されることとなる。
【発明の効果】
【００３７】
本発明の構成とすることにより、下記を具備する着脱容易な乳幼児用ギャルソンエプロンを提供するという本発明課題を達成することができた。
（１）乳幼児の体型にフィットして、乳幼児にとって着け心地がよいエプロンであること
（２）紐を用いてエプロンを着脱するために、乳幼児にエプロンを着脱の介助に手間がかからないこと（特に、じっとしていない、あるいは排泄時やオムツ替えの際の乳幼児に迅速かつ簡便にエプロンを着脱することができること）
（３）従来のエプロンの紐部分が、腰部の後ろ中心でない位置にある場合でも着用ができること
（４）乳幼児の自立の支援のために、簡単な手順で着脱ができること
（５）従来のギャルソンエプロンの意匠としての優秀な特徴である結んだギャルソンエプロン風飾り紐を設けること
さらに、本発明の構成により、具体的には、以下のような効果を達成することができた。
（１）エプロンの着脱が容易なため、乳幼児の移動等による室内外の温度差に起因する外気の温度変化に対して素早く対応ができる。
（２）じっとしていない乳幼児にも、エプロンを簡単に着せることができる。動き回る乳幼児の前後、左右など、どの方面からも、しかも手元を見ないで（視覚に頼らないで、指の触覚のみで）、かつ乳幼児に力を及ぼすことなく着せることができる。
（３）チャイルドシート使用時に、エプロンを容易に脱がせることができるため、体温上昇による「うつ熱」やベルトの拘束が緩くなるのを防ぐことができる。
（４）エプロンのウエスト部分がゴムのため、乳幼児の肉に食い込むことがなく、乳幼児にとって着け心地がよい。
（５）乳幼児の排泄時や、オムツ替えの際に、介助者が紐などを結びなおす必要がない。
（６）不意に乳幼児が寝入っても、乳幼児を目覚めさせることなく、エプロンを取り外すことができる。
（７）エプロンを幼児が自ら着けようとする場合、体の前面で留め具を留めた後、留め具部分を好きな位置まで回して移動させればいいため、幼児の着脱の訓練となる。
（８）エプロンを幼児が自ら外そうとする場合、体の前面まで留め具部分を回して移動させた後、留め具を外せばいいため、幼児の着脱の訓練となる。
（９）エプロンの特徴である組み合わせの応用が利き、着回しがきく。
（１０）エプロンの着用時、留め具位置を前後、左右等に変えることにより、、いろいろな雰囲気のファッションを楽しむことができ、多様な商品を提供することができる。
（１１）大人同様にファッションとしての重ね着が楽しめ、乳幼児に人気があるギャルソンエプロン風エプロンを提供することができる。
【発明を実施するための最良の形態】
【００３８】
発明の最良の形態は、実施例１と考えられる。
【００３９】
以下、各実施例について説明する。
【実施例１】
【００４０】
図１に基づいて、実施例１を説明する。
【００４１】
実施例１は、従来のギャルソンエプロンから想到した本発明である。
【００４２】
エプロン生地５の両上端に１組の留め具１，１'である雄雌のドットボタンを付けた。そして、エプロン生地５の上中央部において体型に弾力的にフィットするようにゴム（アジャスターゴム）３で腰回りを調節して着脱を容易にした。そして、エプロン生地５の上前面部にギャルソンエプロン風飾り紐３を取り付けた。さらに、エプロン生地５の前面部にポケット４を取り付けた。
【実施例２】
【００４３】
図２に基づいて、実施例２を説明する。
【００４４】
実施例２は、従来のギャルソンエプロンから想到した実施例１において、ギャルソンエプロン風飾り紐３をなくした実施例である。
【比較例１】
【００４５】
図３に基づいて、比較例１を説明する。
【００４６】
比較例１は、従来のギャルソンエプロンである。
【００４７】
前中心を腹部に当て、紐Ａ１を後ろに回し、裏面から穴Ｂへ通し、表に出し、表面から紐通しＣ１に通す。紐Ａ２も後ろに回し、表面から紐通しＣ２へ通し、表に出し、前面へ持ってきて紐Ａ１、紐Ａ２を蝶々結びで結んで、紐Ａ１、紐Ａ２の端を垂れ下がるようにする。
【図面の簡単な説明】
【００４８】
【図１】本発明の説明図である。（実施例１）
【図２】本発明の説明図である。（実施例２）
【図３】従来技術の説明図である。
【図４】従来技術の説明図である。前面図（体の正面から見た図）と後面図（体の後ろから見た図）がある。
【符号の説明】
【００４９】
１    留め具(１組の留め具)
２    ゴム
３    飾り紐(ギャルソンエプロン風飾り紐)
４    ポケット
５    エプロン生地(ギャルソンエプロン生地)
【手続補正書】
【提出日】平成17年2月15日(2005.2.15)
【手続補正１】
【補正対象書類名】特許請求の範囲
【補正対象項目名】全文
【補正方法】変更
【補正の内容】
【特許請求の範囲】
【請求項１】
ギャルソンエプロンにおいて、ギャルソンエプロンの紐をなくし、エプロンの脱ぐ作業の介助が、片手で、しかも手元を見ないでできるようにエプロン生地の両上端に１組の留め具を付けて、エプロン生地の上中央部において体型に弾力的にフィットするようにゴムで腰回りを調節して着脱を容易にし、さらにエプロン生地の上前面部にギャルソンエプロン風飾り紐を取り付けて、乳幼児が、大人でも慣れないと難しい従来のギャルソンエプロンの紐を、自分自身の力で、腰に巻いたように見えることを特徴とする乳幼児用ギャルソンエプロン。
【請求項２】
１組の留め具の大きさが直径１０ｍｍ〜３５ｍｍで、１組の留め具の厚さが１ｍｍ〜１０ｍｍであることを特徴とする請求項１記載の乳幼児用ギャルソンエプロン。
【請求項３】
１組の留め具が、雄雌のドットボタンであることを特徴とする請求項１〜２記載の乳幼児用ギャルソンエプロン。
【請求項４】
１組の留め具が、ボタンであることを特徴とする請求項１〜３記載の乳幼児用ギャルソンエプロン。
【請求項５】
エプロン生地の前面部にポケットを取り付けたことを特徴とする請求項１〜４記載の乳幼児用ギャルソンエプロン。
【請求項６】
エプロン生地の上前面部にギャルソンエプロン風飾り紐を垂直方向に取り付けたことを特徴とする請求項１〜５記載の乳幼児用ギャルソンエプロン。
【請求項７】
エプロン生地の上前面部にギャルソンエプロン風飾り紐を水平方向に取り付けたことを特徴とする請求項１〜5記載の乳幼児用ギャルソンエプロン。
【請求項８】
エプロン生地の上前面部に結んだギャルソンエプロン風飾り紐を取り付けたことを特徴とする請求項１〜７記載の乳幼児用ギャルソンエプロン。
【手続補正２】
【補正対象書類名】明細書
【補正対象項目名】全文
【補正方法】変更
【補正の内容】
【発明の詳細な説明】
【技術分野】
【０００１】
本発明は、従来のエプロンの紐をなくし、着脱を容易にした乳幼児用ギャルソンエプロンに関するものである。
【背景技術】
【０００２】
従来、乳幼児にしろ、大人にしろ、外気温度の変動による体温調節は、着衣の枚数で（寒いときには厚着、夏には薄着で）行っていた。
例えば、冬には、下着、その上に上着、さらにコートやジャンパーやスーツタイプの防寒着で体温調節を行っていた。
しかしながら、よく動き回る乳幼児にとって、コートやジャンパーやスーツタイプの防寒着は、手足の動きを妨げて、却って危険であった。
またコートやスーツタイプの防寒着は上半身あるいは下半身のみ着脱することができず、下半身あるいは上半身のみについて重ね着をしたいという需要者の要望には応えることができなかった。
かかる従来技術の状況に鑑みて、着脱容易な重ね着用衣類のニーズが顕在化していたが、このニーズを充足すべく、スカート付きスパッツ（及びズボン）、スカートやエプロンが存在することとなった。
しかし、スカート付きスパッツ（及びズボン）は以下のような欠点があった。
（１）スカート付きスパッツ（及びズボン）は、スカートとスパッツ（ズボン）が一体化しているためスカートだけ脱ぐことができない。そのため、乳幼児の昼寝時にごろついたり、チャイルドシートのベルトの拘束が緩くなるという欠点があった。
（２）チャイルドシート使用時の厚着は、着脱による体温調節ができないため、乳幼児突然死症候群の誘因の一つである「うつ熱」を引き起こす可能性があった。
（３）スカートとスパッツ（ズボン）の組み合わせが決まってしまうため、スカートとスパッツ（ズボン）の組み合わせを自由に選択することができず、着回しができないという欠点があった。
【０００３】
しかし、スカートには、以下のような欠点があった。
（１）スカートを使用する場合、「オムツ（パンツ）」→「スパッツ（ズボン）」→「スカート」と乳幼児の足を各衣類に通す回数が多く、乳幼児に着せる介助者の立場から考えて大変面倒であった。
【０００４】
これに対して、エプロンは、スカートのように乳幼児の足を通す必要がなく、羽織るだけで済むため、スカートよりは着脱容易となっているが、エプロンには、なお、以下のような欠点があった。
（１）従来のエプロン（下半身のみ覆うタイプ）の体への固定手段は紐しかなかった。
（２）紐で結んで腰の位置を固定するため、乳幼児の体にフィットせず、着け心地が悪い。
（３）従来のエプロン（下半身のみ覆うタイプ）は、腰部の後ろで紐を結んで固定しなければならず、乳幼児の着脱には介助が必要であった。また腰部の後ろ中心で（ずれることなく）紐を結ばなければならず、着脱の介助に手間がかかるといった欠点があった。特にじっとしていない、あるいは排泄時やオムツ替えの際の乳幼児に迅速かつ簡便にエプロンを着脱することができなかった。
（４）通常のエプロンは涎掛けのような機能を主体としたものでデザイン的にも乳幼児に人気のあるものではなかった。
【０００５】
しかしながら、最近になって、カフェ等でウェートレスが、ギャルソンエプロン（固定のための紐を体の前で結ぶタイプ）を腰に着て給仕の仕事をしていて、それが客の側にも格好よく映り、口コミ等で一般の若い女性の間にも流行して広く普及することになった。
【０００６】
乳幼児にとっても、ギャルソンエプロンは若い女性と同様、非常に人気があり、それが格好よく映り乳幼児の間にも流行して、ギャルソンエプロンを付けた乳幼児は確実に増加しつつある。
【０００７】
しかし、従来のギャルソンエプロンには以下のような欠点があった。
（１）従来のギャルソンエプロンは、腰の位置を紐で固定するため、乳幼児の体にフィットせず、着け心地が悪い。
（２）紐を用いてエプロンを着脱するために、乳幼児にエプロンを着脱の介助に（特にエプロン生地に紐を通したり、結んだり等）手間がかかるといった欠点があった。また、腰部の前中心で（ずれることなく）紐を結ばなければならず、特に、じっとしていない、あるいは排泄時やオムツ替えの際の乳幼児に迅速かつ簡便にエプロンを着脱することができなかった。
（３）固定のための紐を体の前面で結ぶため、垂れ下がった紐が乳幼児の興味を引き、ひっぱるために、すぐにエプロン自体が外れてしまうという欠点があった。
【発明の開示】
【発明が解決しようとする課題】
【０００８】
従来のエプロンの防寒や上着の防汚といった特性を保持しつつ、また、従来のギャルソンエプロンの意匠としての優秀な特性を保持しつつ、上述した従来のエプロンの欠点を解消した着脱容易な乳幼児用ギャルソンエプロンを提供することが本発明の課題である。
【０００９】
すなわち、発明が解決しようとする課題は、下記を具備する着脱容易な乳幼児用ギャルソンエプロンを提供することである。
（１）乳幼児の体型にフィットして、乳幼児にとって着け心地がよいエプロンであること
（２）紐を用いてエプロンを着脱するために、乳幼児にエプロンを着脱の介助に手間がかからないこと（特に、じっとしていない、あるいは排泄時やオムツ替えの際の乳幼児に迅速かつ簡便にエプロンを着脱することができること）
（３）従来のエプロンの紐部分が、腰部の後ろ中心でない位置にある場合でも着用ができること
（４）乳幼児の自立支援のために、簡単な手順で着脱ができること
（５）従来のギャルソンエプロンの意匠としての優秀な特徴である結んだギャルソンエプロン風飾り紐を設けること
【課題を解決するための手段】
【００１０】
発明者は、従来のエプロンの防寒や上着の防汚といった特性を保持しつつ、上述した従来のエプロンの欠点を解消した着脱容易な乳幼児用ギャルソンエプロンを提供すべく、ギャルソンエプロンの紐をなくし、エプロン生地の両上端に１組の留め具を付けて、エプロン生地の上中央部において体型に弾力的にフィットするようにゴムで腰回りを調節して着脱を容易にすると共に、上前面部にギャルソンエプロン風飾り紐を取り付けたことを特徴とする乳幼児用ギャルソンエプロン及びその改良発明をした。
【００１１】
課題を解決するための手段は、具体的には以下の通りである。
【００１２】
［請求項１］ギャルソンエプロンにおいて、ギャルソンエプロンの紐をなくし、エプロンの脱ぐ作業の介助が、片手で、しかも手元を見ないでできるようにエプロン生地の両上端に１組の留め具を付けて、エプロン生地の上中央部において体型に弾力的にフィットするようにゴムで腰回りを調節して着脱を容易にし、さらにエプロン生地の上前面部にギャルソンエプロン風飾り紐を取り付けて、乳幼児が、大人でも慣れないと難しい従来のギャルソンエプロンの紐を、自分自身の力で、腰に巻いたように見えることを特徴とする乳幼児用エプロン。
［請求項２］１組の留め具の大きさが直径１０ｍｍ〜３５ｍｍで、１組の留め具の厚さが１ｍｍ〜１０ｍｍであることを特徴とする請求項１記載の乳幼児用ギャルソンエプロン。
［請求項３］１組の留め具が、雄雌のドットボタンであることを特徴とする請求項１〜２記載の乳幼児用ギャルソンエプロン。
［請求項４］１組の留め具が、ボタンとボタン穴であることを特徴とする請求項１〜３記載の乳幼児用ギャルソンエプロン。
［請求項５］エプロン生地５の前面部にポケット４を取り付けたことを特徴とする請求項１〜４記載の乳幼児用ギャルソンエプロン。
［請求項６］エプロン生地５の上前面部にギャルソンエプロン風飾り紐３を垂直方向に取り付けたことを特徴とする請求項１〜５記載の乳幼児用ギャルソンエプロン。
［請求項７］エプロン生地５の上前面部にギャルソンエプロン風飾り紐３を水平方向に取り付けたことを特徴とする請求項１〜６記載の乳幼児用ギャルソンエプロン。
［請求項８］エプロン生地５の上前面部に結んだギャルソンエプロン風飾り紐を取り付けたことを特徴とする請求項１〜７記載の乳幼児用ギャルソンエプロン。
【００１３】
＜用語の説明＞
本願明細書に用いられている用語（特に、請求項記載の用語）の解釈上の疑義を解消すべく、用語の説明を以下に示す。
○エプロンとは、上着が汚れるのを防止したり、寒さ防止のために、上着の上から羽織る衣服で、上半身と下半身の両方に着せるものと下半身のみ着せるものの二種類がある。
【００１４】
本発明では、後者の下半身のみ着せるものに限定している。
【００１５】
スカートとの相違点は、スカートが足を通して履くのに対して、エプロンは足を通さないで羽織ることにより着る点が相違する。
【００１６】
またスカートは周りに切れ目がないのに対して、エプロンは、周りに一ヶ所切れ目があるので、乳幼児が激しく運動してもエプロンが邪魔になることがない。
また、巻きスカートとの相違点は、巻きスカートは腰の左右二ヵ所以上で留め具等で固定し、さらに、巻きスカートの重なり部分がはだけるのを防ぐために紐や留め具等で固定する必要があるが、エプロンは一ヵ所のみの固定である点が相違する。
【００１７】
また、巻きスカートは通常のスカート同様、下に履いているものが見えないが、エプロンは下に履いているものの一部が露出する点が相違する。
○弾力的にフィットするとは、運動等により乳幼児の体型が変化した場合であっても、エプロンの紐、ゴム等が肉に食い込むことなく乳幼児の体型に追随してフィットすることをいう。例えば、従来のエプロンの布紐は、肉に食い込み、乳幼児にとって、着け心地が悪い。
○スカートとは、下半身を覆うようにしたもので、エプロンとの相違は上述した通りである。
○乳幼児とは、就学前の者をいう。なお、児童とは、１８歳未満の未婚の者をいう。
○チャイルドシートとは、道路交通法第７１条の３第４項により自動車に備えなければならない幼児用補助装置をいい、乳児用シート、幼児用シート及び学童用シートがある。乳幼児の肩は柔軟で、特に冬場などは厚着をしているので、ベルトの拘束に緩みがでる。したがって、チャイルドシート使用時には、厚着を避けるべく、エプロンを脱がせる必要がある。
○留め具とは、ここでは、エプロンの生地を重ねて留めるための道具（例えば、金具）をいう。例えば、ボタン、ホック、スナップ、ドットボタン等をいう。
ドットボタンとは、糸で付けていないホック式の金具ボタンで、ボタン付け穴が開いていて移動できないものをいう。
○ゴムは、エプロン装着前等のそれ程力が掛らない場合、一定の長さを保持し、力（張力）が掛った場合、伸びる。ゴムには、アジャスターゴムを用いるのが望ましい。アジャスターゴムは、汎用品であり安価である。なお、ゴムは、それ以外の弾性紐であっても良い。
ここに、アジャスターゴムとは、通常の平ゴムの中心線上に等間隔にボタン穴が開いているゴムであり、ゴム取替え口脇に取り付けたボタン（請求項４のエプロン生地の両上端に付けたボタンとは異なる）で任意のボタン穴に固定し、ゴムの長さを調節することができるものである。なお、アジャスターゴムの長さの調節は、成長等に伴うサイズの変更時のみに行うもので、着脱の都度行うものではない。
○ポケットとは、物を入れる機能のほか、ファッション性の有る需要増大機能をも発揮するものである。
○従来のエプロンの紐とは、主として、従来のギャルソンエプロンの紐をいう。
○ギャルソンエプロン（従来のギャルソンエプロンをいう。）とは、ズボンの上から羽織るものであって、長めの紐を腰に一周させて、前面で結ぶことを特徴とするエプロンをいう。
○ギャルソンエプロン用紐とは、ギャルソンエプロンに用いられる紐で、腰部を一周させて結ぶ長めの紐をいう。ギャルソンエプロンに用いる紐は、結び目がファッションのアクセントとなるので、ギャルソンエプロン全体の商品価値を左右するほど重要である。
【００１８】
なお、ギャルソンエプロン用紐は、ギャルソンエプロンの上から、上着を羽織る場合、ギャルソンエプロン用紐の結び目が上着に隠れて見えなくなり、長い紐の端が二つ、外から覗いて見える。また、結び方によっては全く見えなくなる。このような場合には、ギャルソンエプロン用紐は、見えない以上ギャルソンエプロンの生地の前面で、必ずしも結ばれている必要はない。
○ギャルソンエプロン風飾り紐とは、ギャルソンエプロンに用いられる紐と同一視される紐をいう。例えば、ギャルソンエプロン風飾り紐は、エプロンの生地に長手方向を上下もしくは左右（斜めが良い場合もある。）に取り付けられる。そして、蝶々結びで結べば、蝶々が水平に羽を広げた姿になる。この理由は、紐の結び目を結ぶ際に、紐同士に力が働いて捩れるためであり、最終的に見栄えの良い状態になるように、取り付けられる。
○エプロン生地の上前面部とは、図における上前面部をいい、一般には、着たときの前をいうが必ずしもこれに限らない。エプロン自体を回転した場合には、前部が側部等に変化するからである。
［発明の実施の態様］
・請求項１記載の発明について
請求項１記載の発明は、「ギャルソンエプロンにおいて、ギャルソンエプロンの紐をなくし、エプロンの脱ぐ作業の介助が、片手で、しかも手元を見ないでできるようにエプロン生地の両上端に１組の留め具を付けて、エプロン生地の上中央部において体型に弾力的にフィットするようにゴムで腰回りを調節して着脱を容易にし、さらにエプロン生地の上前面部にギャルソンエプロン風飾り紐を取り付けて、乳幼児が、大人でも慣れないと難しい従来のギャルソンエプロンの紐を、自分自身の力で、腰に巻いたように見えることを特徴とする乳幼児用エプロン」の発明である。
請求項１記載の発明は、「ギャルソンエプロンの紐」をなくし、「ギャルソンエプロンの紐」を「エプロンの脱ぐ作業の介助が、片手で、しかも手元を見ないでできるように、エプロン生地の両上端に付けた１組の留め具」、「エプロン生地の上中央部において体型に弾力的にフィットするようにゴムで腰回りを調節して、着脱を容易にしたこと」、「エプロン生地の上前面部にギャルソンエプロン風飾り紐を取り付けて、乳幼児が、大人でも慣れないと難しい従来のギャルソンエプロンの紐を、自分自身の力で、腰に巻いたように見えること」の３つの特徴的構成要件に置き換えたものである。
【００１９】
ゴムがアジャスターゴムの場合は、ゴムの中心線上に等間隔にボタン穴が開いているため、ゴム取替え口脇に取り付けたボタン（請求項４のエプロン生地の両上端に付けたボタンとは異なる）で任意のボタン穴に固定して調節することで、成長に伴うサイズの変更に対応することができる。なお、アジャスターゴムの長さの調節は、成長等に伴うサイズの変更時のみに行うもので、着脱の都度行うものではない。
「エプロン生地の上前面部にギャルソンエプロン風飾り紐を取り付けて、乳幼児が、大人でも慣れないと難しい従来のギャルソンエプロンの紐を、自分自身の力で、腰に巻いたように見えること」の特徴的構成要件について、以下説明する。
【００２０】
従来のギャルソンエプロンは、ギャルソンエプロンの腰部にギャルソンエプロン用紐を腰に通して巻きつけ、紐の両端部分を結んだり解いたりすることによりギャルソンエプロンを着脱する。しかし、これでは、迅速かつ簡便な着脱が困難であった。また、乳幼児の体にフィットせず、着け心地が悪かった。また、体の前面で紐を結ぶため、垂れ下がった紐が乳幼児の興味を引き、ひっぱるために、エプロン自体が外れてしまうことがあり、その都度、介助する必要があった。発明者は、かかる課題解消の他、従来のギャルソンエプロン用紐を使った場合のような意匠的な格好よさを保持するように技術的な構成要件を付加することによって本発明を完成した。
【００２１】
従来の技術の構成要件である「エプロンの紐部分」を、「エプロン生地に付けた両上端１組の留め具」の構成要件と「エプロン生地の上中央部において体型に弾力的にフィットするようにゴムで腰回りを調節すること」の構成要件と「エプロン生地の上前面部にギャルソンエプロン風飾り紐を取り付けたこと」の構成要件（単に３構成要件とも略す。）で代替することによって、本発明を完成した。
【００２２】
エプロン生地の上前面部にギャルソンエプロン風飾り紐を取り付けたことにより、まるで、従来のギャルソンエプロンのように、乳幼児が紐で腰に巻いて、ギャルソンエプロン生地の上前面部に結んだように見えるから、本発明では、従来のギャルソンエプロンの意匠的な格好よさは、そのまま保持されるという当事者予測不可能な顕著な効果が発揮される。
すなわち、本発明の特徴的構成とすることによって、乳幼児が、大人でも慣れないと難しい従来のギャルソンエプロンの紐を、自分自身の力で、腰に巻いたように見えるという当事者予測不可能な顕著な効果が発揮される。
・請求項２記載の発明は、１組の留め具の大きさが直径１０ｍｍ〜３５ｍｍ（数値の下限は、１０ｍｍ、１３ｍｍ、１５ｍｍ、１８ｍｍ、２０ｍｍが例示される。数値の上限は、３５ｍｍ、３２ｍｍ、３０ｍｍ、２７ｍｍ、２３ｍｍが例示される。）で、１組の留め具の厚さが１ｍｍ〜１０ｍｍ（数値の下限は、１ｍｍ、２ｍｍ、３ｍｍ、４ｍｍ、５ｍｍが例示される。数値の上限は、１０ｍｍ、９ｍｍ、８ｍｍ、７ｍｍ、６ｍｍが例示される。）であることを特徴とする請求項１記載の乳幼児用ギャルソンエプロンである。
本発明のように、１組の留め具の大きさと１組を留め具の厚さの範囲を数値限定することにより、手元を見ないで（視覚に頼らないで、指の触覚のみで）、エプロンの着脱の介助をすることが可能である。
【００２３】
特にチャイルドシート使用時のエプロンの脱ぐ作業の介助は、片手で、しかも手元を見ないで（視覚に頼らないで、指の触覚のみで）、かつ乳幼児に力を及ぼすことなく行われることが本発明の課題となる。チャイルドシート使用時には、車の発進準備等他の作業も行う必要があり、また、乳幼児の外出には着替えやミルクやオムツ等の手荷物も多くなるので、エプロンの脱ぐ作業の介助は、片手でも容易に行えることが必要となる。
【００２４】
本発明のように、１組の留め具の大きさと１組の留め具の厚さの範囲を数値限定することにより、上記技術上の課題が解消されることとなる。
・請求項３記載の発明について
請求項３記載の発明は、１組の留め具が、雄雌のドットボタンであることを特徴とする請求項１〜２記載の乳児用エプロンである。
【００２５】
雄雌のドットボタンは、ワンタッチで着脱が容易にできるものであり、特に片手で、しかも乳幼児に力を及ぼすことなくエプロンの脱がす作業が行える。チャイルドシート使用時に、特に上記の効果が発揮されることが重要である。
・請求項４記載の発明について
請求項４記載の発明は、１組の留め具が、ボタンとボタン穴であることを特徴とする請求項１〜３記載の乳幼児用ギャルソンエプロンである。
【００２６】
ボタンとボタン穴は、乳幼児が自ら着脱を行うことも必要となる場合があり、乳幼児の着脱の訓練用として用いられる。
・請求項５記載の発明について
請求項５記載の発明は、エプロン生地の前面部にポケットを取り付けたことを特徴とする請求項１〜４記載の乳幼児用ギャルソンエプロンである。
本発明の課題は、従来のエプロンの防寒や上着の防汚といった特性を保持しつつ、また、従来のギャルソンエプロンの意匠としての優秀な特性を保持しつつ、着脱容易な乳幼児用ギャルソンエプロンを提供することである。
【００２７】
従来のギャルソンエプロンの意匠において、ポケットを設けることは、ポケットの機能のほか、意匠の機能として需要者の購買意欲惹起の機能を発揮させることができるからである。
・請求項６記載の発明について
請求項６記載の発明は、エプロン生地の上前面部にギャルソンエプロン風飾り紐を垂直方向に取り付けたことを特徴とする請求項１〜５記載の乳幼児用ギャルソンエプロンである。
【００２８】
ギャルソンエプロン風飾り紐に、比較的幅の広い素材や、張りのある素材、（例えば、幅の広い綾織テープなど）の紐を使った場合に、垂直方向に縫い付けた方が、結んだときに、歪むことなく、格好よく（蝶々が大きく羽を広げた形に）なるからである。また、結んでいないときは飾り紐が折り重なるため、ごろつき感が少なくなる。
【００２９】
飾り紐が結ばれていない状態を考慮するのは、従来のギャルソンエプロンは、衣類の一番外側に着用する場合と、上半身の上着の裾から少し見えるように着用する場合の２通りの着用の仕方があり、前者の、衣類の一番外側に着用する場合、エプロン全体が見えるため、従来のギャルソンエプロンの意匠としての優秀な特性を保持するため、飾り紐が結んだ状態であるのが望ましい。しかし、後者の上半身の上着の裾から少し見えるように着用する場合は、エプロンの上部が、上半身の上着の裾で隠れてしまうため、結んだ飾り紐が隠れてしまう。この場合、飾り紐を結ばずにそのまま垂らして、飾り紐の両端を上半身の上着の裾から覗かせることで、まるで、蝶々結びの長手部分が垂れているように見える。（従来のギャルソンエプロンは、紐の長さをエプロン着用者が調節するものなので、上半身の上着の裾から見えているギャルソンエプロン用紐の端部は、蝶々結びの端部分が垂れているように見えるようにしていた。本発明は、結び目がないが、かかる効果を発揮している。）
・請求項７記載の発明について
請求項７記載の発明は、エプロン生地の上前面部にギャルソンエプロン風飾り紐を水平方向に取り付けたことを特徴とする請求項１〜６記載の乳幼児用ギャルソンエプロンである。
【００３０】
ギャルソンエプロン風飾り紐に、比較的厚みのある素材や、張りのない素材、（例えば、丸紐など）の紐を使った場合、水平方向に縫い付けた方が、結んでいないときに飾り紐同士が重ならないため、ごろつき感が少なくなる。また、比較的厚みのある素材や、張りのない素材の飾り紐を結ぶ場合、輪になる部分も垂れ下がる（蝶々が羽を広げたようにはならない）ので、取り付けは水平方向であっても構わない。
・請求項８記載の発明について
請求項８記載の発明は、エプロン生地の上前面部に結んだギャルソンエプロン風飾り紐を取り付けたことを特徴とする請求項１〜７記載の乳幼児用ギャルソンエプロンである。
【００３１】
洗濯をしても飾り紐が解けないように、結んだ形の飾り紐を取り付けた。
【００３２】
なお、エプロンは上着の上から羽織るもので、身体に直接接触する下着とは異なり、乳幼児の体を傷つけることを考えることがないので、留め具は金具から構成されたものであっても構わない。
【００３３】
敢えて、１組の留め具としたのは、本発明課題である「乳幼児に迅速かつ簡便にエプロンを着脱すること」の解消を図るためで、複数組の留め具であれば、着脱に手間がかかり、本発明課題の解消が到底できないからである。
「エプロン生地の上中央部において体型に弾力的にフィットするようにゴムで腰回りを調節すること」の構成要件の意義は、従来の紐で腰の位置にエプロンを固定したのでは、乳幼児が動いて体型が変化した場合に、乳幼児にとっては着け心地が悪いことを改善するためであり、体型に弾力的にフィットするようにゴムで腰回りを調節することにより、上記の構成要件とすることにより、乳幼児にとっての着け心地を改善できた。
【００３４】
また、「エプロンの紐部分」を、「エプロン生地に付けた両上端１組の留め具」の構成要件と「エプロン生地の上中央部において体型に弾力的にフィットするようにゴムで腰回りを調節すること」の構成要件で代替することによって、腰回りに伸縮性をもたすことによって、留め具を留めた後、任意の位置までエプロンを回せばいいため、じっとしていない乳幼児にも、エプロンを簡単に着せることができる。動き回る乳幼児の前後、左右など、どの方面からも、しかも手元を見ないで（視覚に頼らないで、指の触覚のみで）、かつ乳幼児に力を及ぼすことなく着せることができるため、従来のエプロンの紐部分が、腰部の後ろ中心でない位置にある場合でも着用ができるという課題が解消されることとなる。
【発明の効果】
【００３５】
本発明の構成とすることにより、下記を具備する着脱容易な乳幼児用ギャルソンエプロンを提供するという本発明課題を達成することができた。
（１）乳幼児の体型にフィットして、乳幼児にとって着け心地がよいエプロンであること
（２）紐を用いてエプロンを着脱するために、乳幼児にエプロンを着脱の介助に手間がかからないこと（特に、じっとしていない、あるいは排泄時やオムツ替えの際の乳幼児に迅速かつ簡便にエプロンを着脱することができること）
（３）従来のエプロンの紐部分が、腰部の後ろ中心でない位置にある場合でも着用ができること
（４）乳幼児の自立の支援のために、簡単な手順で着脱ができること
（５）従来のギャルソンエプロンの意匠としての優秀な特徴である結んだギャルソンエプロン風飾り紐を設けること
さらに、本発明の構成により、具体的には、以下のような効果を達成することができた。
（１）エプロンの着脱が容易なため、乳幼児の移動等による室内外の温度差に起因する外気の温度変化に対して素早く対応ができる。
（２）じっとしていない乳幼児にも、エプロンを簡単に着せることができる。動き回る乳幼児の前後、左右など、どの方面からも、しかも手元を見ないで（視覚に頼らないで、指の触覚のみで）、かつ乳幼児に力を及ぼすことなく着せることができる。
（３）チャイルドシート使用時に、エプロンを容易に脱がせることができるため、体温上昇による「うつ熱」やベルトの拘束が緩くなるのを防ぐことができる。
（４）エプロンのウエスト部分がゴムのため、乳幼児の肉に食い込むことがなく、乳幼児にとって着け心地がよい。
（５）乳幼児の排泄時や、オムツ替えの際に、介助者が紐などを結びなおす必要がない。
（６）不意に乳幼児が寝入っても、乳幼児を目覚めさせることなく、エプロンを取り外すことができる。
（７）エプロンを幼児が自ら着けようとする場合、体の前面で留め具を留めた後、留め具部分を好きな位置まで回して移動させればいいため、幼児の着脱の訓練となる。
（８）エプロンを幼児が自ら外そうとする場合、体の前面まで留め具部分を回して移動させた後、留め具を外せばいいため、幼児の着脱の訓練となる。
（９）エプロンの特徴である組み合わせの応用が利き、着回しがきく。
（１０）エプロンの着用時、留め具位置を前後、左右等に変えることにより、、いろいろな雰囲気のファッションを楽しむことができ、多様な商品を提供することができる。
（１１）大人同様にファッションとしての重ね着が楽しめ、乳幼児に人気があるギャルソンエプロン風エプロンを提供することができる。
【発明を実施するための最良の形態】
【００３６】
発明の最良の形態は、実施例１と考えられる。
【００３７】
以下、各実施例について説明する。
【実施例１】
【００３８】
図１に基づいて、実施例１を説明する。
【００３９】
実施例１は、従来のギャルソンエプロンから想到した本発明である。
【００４０】
エプロン生地５の両上端に１組の留め具１，１’である雄雌のドットボタンを付けた。そして、エプロン生地５の上中央部において体型に弾力的にフィットするようにゴム（アジャスターゴム）３で腰回りを調節して着脱を容易にした。そして、エプロン生地５の上前面部にギャルソンエプロン風飾り紐３を取り付けた。さらに、エプロン生地５の前面部にポケット４を取り付けた。
【実施例２】
【００４１】
図２に基づいて、実施例２を説明する。
【００４２】
実施例２は、従来のギャルソンエプロンから想到した実施例１において、ギャルソンエプロン風飾り紐３をなくした実施例である。
【比較例１】
【００４３】
図３に基づいて、比較例１を説明する。
【００４４】
比較例１は、従来のギャルソンエプロンである。
【００４５】
前中心を腹部に当て、紐Ａ１を後ろに回し、裏面から穴Ｂへ通し、表に出し、表面から紐通しＣ１に通す。紐Ａ２も後ろに回し、表面から紐通しＣ２へ通し、表に出し、前面へ持ってきて紐Ａ１、紐Ａ２を蝶々結びで結んで、紐Ａ１、紐Ａ２の端を垂れ下がるようにする。
【図面の簡単な説明】
【００４６】
【図１】本発明の説明図である。（実施例１）
【図２】本発明の説明図である。（実施例２）
【図３】従来技術の説明図である。
【図４】従来技術の説明図である。前面図（体の正面から見た図）と後面図（体の後ろから見た図）がある。
【符号の説明】
【００４７】
１    留め具（１組の留め具）
２    ゴム
３    飾り紐（ギャルソンエプロン風飾り紐）
４    ポケット
５    エプロン生地（ギャルソンエプロン生地）